(57)【要約】    【課題】      パイロット信号により求めた伝送路特性を周波数軸方向に補間する際の精度劣化を軽減すること。    【解決手段】  受信したＯＦＤＭ信号より抽出したパイロット信号（ＳＰ：Scatterd Pilot、ＣＰ：Continual Pilot）から求めたＳＰ/ＣＰキャリアの伝送路特性Ｈ’（ｉ，ｋｐ）を、時間軸補間部４０で時間軸方向に補間し、その結果得られた時間軸補間後データＨｃ’（ｉ−３，ｋ）を、さらに周波数軸補間部１２０で周波数方向に補間して、ＯＦＤＭ信号帯域全体の伝送路特性Ｈｄ’（ｉ，ｋ）を求める際、周波数軸補間フィルタ（ＦＩＲフィルタ部１１）による周波数軸方向の補間前に、信号帯域外のあらかじめ定めた区間に対し、信号帯域端のＳＰキャリア及びＣＰキャリアの伝送路特性を、信号帯域内のＳＰキャリアと等間隔の関係を保つ位置にコピーしておく（コピー部１０１）ようにする。これにより、周波数補間処理結果の信号帯域端に生じるリップルが軽減される。  【選択図】      図１
2006101019.tif 000002
【特許請求の範囲】
【請求項１】
周波数軸方向及び時間軸方向に予め定められた間隔で配置されたキャリアを、振幅及び位相が既知のパイロット信号により変調したＯＦＤＭシンボルを含むＯＦＤＭシンボルを受信するＯＦＤＭ受信装置であって、
受信パイロット信号に基づいて、パイロットキャリアに作用した伝送路特性を推定するパイロットキャリア伝送路特性推定手段と、
前記パイロットキャリア伝送路特性推定手段により得られたパイロットキャリア伝送路特性のうち、ＯＦＤＭ信号帯域内の最も帯域端に近いパイロットキャリア伝送路特性を、ＯＦＤＭ信号帯域内のパイロットキャリア間隔と等しい間隔となるように、ＯＦＤＭ信号帯域外の予め定められた長さのパイロットキャリアコピー区間にコピーすると共に、コピーしたパイロットキャリア間に０を挿入するパイロットキャリアコピー手段と、
前記パイロットキャリアコピー手段により得られたデータを、周波数軸方向に補間する周波数軸補間手段と
を具備するＯＦＤＭ受信装置。
【請求項２】
前記パイロットキャリアコピー手段の前段側に設けられ、前記パイロットキャリア伝送路特性推定手段により得られたパイロットキャリア伝送路特性を、時間軸方向に補間する時間軸補間手段を、さらに具備する
請求項１に記載のＯＦＤＭ受信装置。
【請求項３】
前記パイロットキャリアコピー手段は、
パイロットキャリアの位置にはパイロットキャリア伝送路特性を、データキャリアの位置には０を挿入する０挿入部と、
ＯＦＤＭ信号帯域内の最も帯域端に近いパイロットキャリア伝送路特性を、ＯＦＤＭ信号帯域内のパイロットキャリア間隔と等しい間隔となるように、ＯＦＤＭ信号帯域外の予め定められた長さのパイロットキャリアコピー区間にコピーするコピー部と
を具備する請求項１に記載のＯＦＤＭ受信装置。
【請求項４】
前記周波数軸補間手段の後段側に設けられ、ＯＦＤＭ信号の帯域端にパイロットキャリアが配置されていないＯＦＤＭシンボルを基に周波数軸方向補間されたＯＦＤＭ信号帯域端の予め定められたキャリア分の伝送路特性を、ＯＦＤＭ信号の帯域端にパイロットキャリアが配置されているＯＦＤＭシンボルを基に周波数軸補間されたＯＦＤＭ信号帯域端の予め定められたキャリア分の伝送路特性に置き換える上書き手段を、さらに具備する
請求項１又は請求項３に記載のＯＦＤＭ受信装置。
【請求項５】
前記周波数軸補間手段は、ＦＩＲフィルタにより構成され、
前記パイロットキャリアコピー手段による前記パイロットキャリアコピー区間が前記ＦＩＲフィルタのタップ数の半分の長さとされている
請求項１に記載のＯＦＤＭ受信装置。
【請求項６】
請求項１から請求項５のいずれかに記載のＯＦＤＭ受信装置を備えたＯＦＤＭ中継装置。
【発明の詳細な説明】
【技術分野】
【０００１】
本発明は、時間軸方向及び周波数軸方向の所定位置に配置されたパイロット信号に基づいて伝送路特性を推定するＯＦＤＭ(Orthogonal Frequency Division Multiplexing)受信装置及びＯＦＤＭ中継装置に関する。
【背景技術】
【０００２】
従来、ディジタル信号の伝送方式として、ＯＦＤＭが検討されている。ＯＦＤＭは、互いに直交する複数の搬送波（キャリア）を、ＰＳＫ（Phase Shift Keying）、ＱＡＭ（QuadratureAmplitude Modulation）などによりディジタル変調する方式であり、マルチパスに強いという特徴を有する。
【０００３】
ＯＦＤＭ伝送方式を採用するシステムとしては、日欧の地上ディジタル放送や無線ＬＡＮがあげられる。これらのシステムでは、パイロット信号と呼ばれる既知の信号を予め定めたキャリアで送信し、受信側ではパイロット信号を用いて伝送路特性を推定し、この伝送路特性推定値を使って伝送路歪の影響を受けた受信信号を等化する方法が用いられている。
【０００４】
伝送路特性推定に用いられるパイロット信号は、例えば、日本の地上ディジタル放送の規格であるＩＳＤＢ−Ｔ（Integrated Services Digital Broadcasting for Terrestrial）では、ＳＰ（Scatterd Pilot：スキャッタードパイロット）と呼ばれ、図７に示すように、１２キャリア置きに４シンボル周期で異なったキャリアに分散して配置される既知の信号である（非特許文献１参照）。なお、ＣＰ（Continual Pilot：コンティニュアルパイロット）もパイロット信号の一種で、信号帯域の右端のキャリアに毎シンボル連続的に配置される既知の信号である。パイロット信号が配置されたキャリア（パイロットキャリア）の伝送路特性は、既知の信号であるパイロット信号より求めることができるが、未知のデータ信号を載せたキャリア（データキャリア）は、そのキャリアのデータからは直接伝送路特性を算出することができない。
【０００５】
したがって、一般に、分散して配置されたＳＰの伝送路特性を求め、これを時間軸方向および周波数軸方向に補間することで、データキャリアの伝送路特性を求める手法がとられる。
【０００６】
図８に、パイロット信号を用いて伝送路特性推定を行い、その伝送路推定結果を用いて受信信号を等化する従来のＯＦＤＭ受信装置の構成を示す。
【０００７】
ＯＦＤＭ受信装置８００は、受信アンテナ１で受信したＲＦ（Radio Frequency：無線周波数）帯域の信号を、受信部２において、基底帯域（以下、これをベースバンドと呼ぶ）の信号に変換する。受信部２は、さらにＯＦＤＭシンボルデータを得るための同期処理を行う。
【０００８】
受信部２から出力されたＯＦＤＭシンボルは、ＦＦＴ部３におけるフーリエ変換処理により周波数領域の信号に変換され、遅延部４にて伝送路特性推定部２０での処理遅延分遅延させられた後、等化部５へ入力される。等化部５では、伝送路特性推定部２０で求められた伝送路特性を用いて、受信したＯＦＤＭシンボルを等化し、等化後のデータを判定部６へ渡す。
【０００９】
次に伝送路特性推定部２０での伝送路特性の推定処理について説明する。送信側から送信されたデータをＸ（ｉ，ｋ）、伝送路特性をＨ（ｉ，ｋ）、受信側で受信されたデータをＹ（ｉ，ｋ）、雑音成分をＮ（ｉ，ｋ）、ｉ：シンボル番号、ｋ：キャリア番号とすると、これらの関係は、次式
【数１】
2006101019.tif 000003
で表される。
【００１０】
従って、伝送路特性推定部２０のパイロットキャリア伝送路特性推定部３０に設けられたＳＰ/ＣＰ除算部８では、ＦＦＴ部３にて周波数領域の信号に変換された受信ＯＦＤＭシンボルＹ（ｉ，ｋ）から、ＳＰ又はＣＰキャリアのデータＹ（ｉ，ｋｐ）を抽出し（ｋｐ：ＳＰキャリア番号又はＣＰキャリア番号）、ＳＰ／ＣＰ生成部７で生成した正規のＳＰ又はＣＰデータＸ（ｉ，ｋｐ）で除算することにより、Ｘ（ｉ，ｋｐ）に作用した伝送路特性Ｈ’（ｉ，ｋｐ）を推定する。これらの関係は、次式
【数２】
2006101019.tif 000004
で表される。
【００１１】
一方、データキャリアの伝送路特性は、ＳＰ/ＣＰキャリアの伝送路特性Ｈ’（ｉ，ｋｐ）を用いて、時間軸補間部４０により時間軸方向に補間し（Ｈｃ’（ｉ−３，ｋ））、これをさらに周波数軸補間部５０により周波数方向に補間することで求める。このようにして得られた信号帯域全体の伝送路特性Ｈｄ’（ｉ−３，ｋ）を等化部５に出力する。なお、図８では、時間軸補間部４０での処理遅延が３シンボルの例を示している。
【００１２】
このように時間軸補間及び周波数軸補間を行った場合、推定できる伝送路特性の精度は、キャリア間隔をΔｆとすると４Δｆである。また、ＳＰ／ＣＰ除算後のＳＰ／ＣＰの伝送路特性Ｈ’（ｉ，ｋｐ）に対し、時間軸補間を行わず、周波数補間処理のみを行う方法も考えられる。この場合の伝送路特性の推定精度は１２Δｆとなる。
【００１３】
ここで、時間方向の補間方法であるが、例えば特許文献１にも記載されているが、図９に示すように、過去や未来のシンボルのＳＰを用いて、時間軸方向に０次ホールドする方法（図９Ａ）、又は、直線補間する方法（図９Ｂ）が取られる。
【００１４】
これについて、図８で示した時間軸補間部４０の構成を基に説明する。図８は、直線補間を用いる方法を示している。時間軸補間部４０は、ＳＰ／ＣＰ除算部８より得られるＳＰ、ＣＰの伝送路特性Ｈ’（ｉ，ｋｐ）をＳＰ／ＣＰ伝送路特性蓄積部９において、直線補間に必要な７シンボル分蓄積する。そして、補間部１０は、ＳＰ／ＣＰ伝送路特性蓄積部９から、図９Ｂに示した４つの直線補間パターンに応じて、必要な１シンボル又は２シンボルのＳＰデータＨａ’（ｉ，ｋｐ）、Ｈｂ’（ｉ，ｋｐ）を呼び出し、直線補間を行う。なお、ＣＰに関しては毎シンボル右端キャリアに挿入されているので、時間軸補間は行わず、呼び出したＣＰデータをそのまま用いればよい。
【００１５】
一方、周波数軸方向の補間方法については、図８で示すように、ＦＩＲフィルタ部１１のＦＩＲフィルタを周波数軸補間フィルタとして機能するように構成することで、時間軸補間後のデータを周波数方向に補間する方法がとられる。
【特許文献１】特開２００２−３４４４１１号公報（第９頁、表３）
【非特許文献１】社団法人  電波産業会、「地上ディジタルテレビジョン放送の伝送方式」、ＡＲＩＢ  ＳＴＤ−Ｂ３１  １．５版、平成１５年７月２９日改定、ｐ．４６
【発明の開示】
【発明が解決しようとする課題】
【００１６】
ところで、ＯＦＤＭ信号の帯域左右には信号が存在しないため、上述したような従来の伝送路特性方式のように補間フィルタを用いて周波数方向の補間を行う際、信号帯域両端の伝送路特性推定結果にリップルが生じ、推定精度が劣化するという課題があった。
【００１７】
本発明はかかる点に鑑みてなされたものであり、パイロット信号により求めた伝送路特性を周波数軸方向に補間する際の精度劣化を軽減し得るＯＦＤＭ受信装置及びＯＦＤＭ中継装置を提供することを目的とする。
【課題を解決するための手段】
【００１８】
かかる課題を解決するため本発明は、受信パイロット信号に基づいて、パイロットキャリアに作用した伝送路特性を推定するパイロットキャリア伝送路特性推定手段と、パイロットキャリア伝送路特性推定手段により得られたパイロットキャリア伝送路特性のうち、ＯＦＤＭ信号帯域内の最も帯域端に近いパイロットキャリア伝送路特性を、ＯＦＤＭ信号帯域内のパイロットキャリア間隔と等しい間隔となるように、ＯＦＤＭ信号帯域外の予め定められた長さのパイロットキャリアコピー区間にコピーすると共に、コピーしたパイロットキャリア間に０を挿入するパイロットキャリアコピー手段と、パイロットキャリアコピー手段により得られたデータを、周波数軸方向に補間する周波数軸補間手段とを具備する構成を採る。
【００１９】
この構成によれば、パイロットキャリアコピー手段によって、ＯＦＤＭ信号の帯域左右に、ＯＦＤＭ信号帯域内の最も帯域端に近いパイロットキャリア伝送路特性が、ＯＦＤＭ信号帯域内のパイロットキャリア間隔と等しい間隔となるようにかつパイロットキャリア間に０が挿入されてコピーされて配置されるので、周波数軸補間手段によって周波数補間を行っても、信号帯域両端の伝送路特性推定結果のリップルが軽減される。この結果、パイロット信号により求めた伝送路特性を周波数軸方向に補間することに起因する伝送路特性推定精度の劣化を軽減することができる。
【発明の効果】
【００２０】
本発明によれば、パイロット信号により求めた伝送路特性を周波数軸方向に補間することに起因する伝送路特性推定精度の劣化を軽減し得、パイロットキャリアを採用するＯＦＤＭ受信装置及びＯＦＤＭ中継装置の伝送路特性推定精度を向上させることができる。
【発明を実施するための最良の形態】
【００２１】
以下、本発明の実施の形態について図面を参照して詳細に説明する。
【００２２】
（実施の形態１）
図８との対応部分に同一符号を付して示す図１に、本実施の形態のＯＦＤＭ受信装置の構成を示す。ここでは、図８と同様の構成要素については、同じ符号を付してその説明を省略する。
【００２３】
本実施の形態のＯＦＤＭ受信装置１００は、伝送路特性推定部１１０の周波数軸補間部１２０の構成が、図８のＯＦＤＭ受信装置８００と異なる。周波数軸補間部１２０は、時間軸補間後のデータＨｃ’（ｉ−３，ｋ）に対し、ＯＦＤＭ信号帯域の両端に後述するコピー処理を行うコピー部１０１と、そのコピー部１０１の出力Ｈｅ’（ｉ−３，ｋ）を周波数軸方向に補間処理するＦＩＲフィルタ部１１とで構成されている。
【００２４】
以下、コピー部１０１による信号帯域両端におけるコピー処理について詳しく説明する。
【００２５】
図２は、コピー部１０１によるＯＦＤＭ信号帯域の両端に対するコピー処理結果を示すもので、図２ＡはＯＦＤＭ信号帯域全体、図２ＢはＯＦＤＭ信号帯域の左端、図２ＣはＯＦＤＭ信号帯域の右端のコピー処理結果をそれぞれ示したものである。
【００２６】
コピー部１０１は、図２Ａに示すように、時間軸補間後のデータＨｃ’（ｉ−３，ｋ）の両端に、ＯＦＤＭ信号帯域左端のＳＰ又はＣＰを、ＦＩＲフィルタ部１１（周波数軸補間フィルタ）の半タップ数分の区間だけコピーする。
【００２７】
ここで、まずＯＦＤＭ信号帯域左端側においては、図２Ｂに示すように、各ＯＦＤＭシンボルの左端のＳＰを、ＯＦＤＭ信号帯域中のＳＰ間隔を保つように、左端帯域外に３キャリアおきにコピーし、コピーしたＳＰ間には０を挿入する。
【００２８】
一方、ＯＦＤＭ信号帯域右端側においては、帯域右端に常に配置されるＣＰを、ＯＦＤＭ信号帯域中のＳＰ間隔を保つように、右端帯域外に３キャリア置きにコピーし、コピーしたＣＰ間には０を挿入する。
【００２９】
このように、ＯＦＤＭ信号帯域の両端に、周波数補間フィルタの半タップ数分の区間のデータを追加したものを、周波数補間フィルタに入力することで、周波数補間フィルタ（ＦＩＲフィルタ部１１）の出力Ｈｄ’（ｉ−３，ｋ）、すなわち、伝送路特性推定結果の信号帯域両端のリップルが軽減される。
【００３０】
かくして本実施の形態によれば、周波数補間フィルタ（この実施の形態の場合、ＦＩＲフィルタ１１）の前段側に、ＯＦＤＭ信号帯域内の最も帯域端に近いパイロットキャリア伝送路特性を、ＯＦＤＭ信号帯域内のパイロットキャリア間隔と等しい間隔となるように、ＯＦＤＭ信号帯域外の予め定められた長さ（この実施の形態の場合、周波数補間フィルタの半タップ数分）のパイロットキャリアコピー区間にコピーすると共に、コピーしたパイロットキャリア間に０を挿入するコピー部１０１を設けたことにより、周波数補間フィルタによってパイロットキャリア伝送路特性データを周波数軸補間することに起因する伝送路特性推定精度の劣化を軽減し得るＯＦＤＭ受信装置１００を実現できる。
【００３１】
なお、本実施の形態では、時間軸補間処理後のＳＰ間隔が３キャリア置きの場合を例に説明したが、本発明はこれに限らず、その以外のＳＰ間隔の場合においても同様の効果を得ることができる。
【００３２】
また、本実施の形態では、両端帯域外に周波数補間フィルタの半タップ数のコピー区間を設けたが、リップルの影響に応じてコピー区間を調整してもよい。
【００３３】
さらに、本実施の形態では、ＯＦＤＭ受信装置の例について説明したが、ＯＦＤＭ中継装置に適用しても同様の効果を得ることができる。ＯＦＤＭ中継装置は、例えば、判定部６の後段にマッピング部、ＩＦＦＴ部、送信部を順次設けた構成とすればよい。このような構成とすることにより、周波数補間フィルタによってパイロットキャリア伝送路特性データを周波数軸補間した際の精度劣化を軽減し得るＯＦＤＭ中継装置を実現できる。
【００３４】
（実施の形態２）
図８との対応部分に同一符号を付して示す図３に、本実施の形態のＯＦＤＭ受信装置の構成を示す。ここでは、図８と同様の構成要素については、同じ符号を付してその説明を省略する。
【００３５】
ＯＦＤＭ受信装置３００の伝送路特性推定部３１０には、０挿入部３０２が設けられている。そしてパイロットキャリア伝送路特性推定部３０により得られたＳＰ／ＣＰ伝送路特性Ｈ’（ｉ，ｋｐ）を０挿入部３０２に入力する。０挿入部３０２は、ＯＦＤＭ信号のＳＰ／ＣＰキャリアの位置にはＳＰ／ＣＰ除算部８の出力であるＳＰ／ＣＰ伝送路特性Ｈ’（ｉ，ｋｐ）を、データキャリアの位置には０を挿入する処理を行う。なお、このようにして得られる０挿入後のデータＨｆ’（ｉ，ｋ）は、後述するようにシンボル番号によってＳＰの配置が異なる。
【００３６】
周波数軸補間部３２０は、ＯＦＤＭ信号帯域の両端に後述するコピー処理を行うコピー部３０１と、そのコピー部３０１の出力Ｈｅ’（ｉ，ｋ）を周波数軸方向に補間処理するＦＩＲフィルタ部１１とにより構成されている。
【００３７】
以下、コピー部３０１による信号帯域両端におけるコピー処理について詳しく説明する。
【００３８】
図４は、コピー部３０１によるＯＦＤＭ信号帯域の両端に対するコピー処理結果を示すもので、図４ＡはＯＦＤＭ信号帯域全体、図４ＢはＯＦＤＭ信号帯域の左端、図４ＣはＯＦＤＭ信号帯域の右端のコピー処理結果をそれぞれ示したものである。
【００３９】
コピー部３０１は、図４Ａに示すように、０挿入部３０２より得られたデータＨｆ’（ｉ，ｋ）の両端に、ＯＦＤＭ信号帯域左端のＳＰ又はＣＰを、ＦＩＲフィルタ部１１（周波数軸補間フィルタ）の半タップ数分の区間だけコピーする。
【００４０】
ここで、まずＯＦＤＭ信号帯域左端側においては、図４Ｂに示すように、各ＯＦＤＭシンボルの左端のＳＰを、ＯＦＤＭ信号帯域中のＳＰ間隔を保つように、左端帯域外に１２キャリア置きにコピーし、コピーしたＳＰ間には０を挿入する。ＯＦＤＭ信号帯域中のＳＰの配置は、シンボル番号によって異なるので、ＳＰのコピー位置もシンボル番号によって異なる。
【００４１】
一方、ＯＦＤＭ信号帯域右端側においては、帯域右端に常に配置されるＣＰを、ＯＦＤＭ信号帯域中のＳＰ間隔を保つように、右端帯域外に１２キャリア置きにコピーし、コピーしたＣＰ間には０を挿入する。なお、シンボル番号によってＳＰの配置が異なるので、図２Ｃのようにシンボル番号％４＝１，２，３の場合は、信号帯域右端（キャリア番号Ｎｃ−１）のＣＰの位置には、ＣＰの代わりに０を置き換えて配置する。
【００４２】
このように、ＯＦＤＭ信号帯域の両端に、周波数補間フィルタの半タップ数分の区間のデータを追加したものを、周波数補間フィルタに入力することで、周波数補間フィルタ（ＦＩＲフィルタ部１１）の出力Ｈｄ’（ｉ，ｋ）、すなわち、伝送路特性推定結果の信号帯域両端のリップルが軽減される。
【００４３】
かくして本実施の形態によれば、周波数補間フィルタ（この実施の形態の場合、ＦＩＲフィルタ１１）の前段側に、ＯＦＤＭ信号のＳＰ／ＣＰキャリアの位置にはＳＰ／ＣＰ伝送路特性Ｈ’（ｉ，ｋｐ）を、データキャリアの位置には０を挿入する０挿入部３０２と、ＯＦＤＭ信号帯域内の最も帯域端に近いパイロットキャリア伝送路特性を、ＯＦＤＭ信号帯域内のパイロットキャリア間隔と等しい間隔となるように、ＯＦＤＭ信号帯域外の予め定められた長さ（この実施の形態の場合、周波数補間フィルタの半タップ数分）のパイロットキャリアコピー区間にコピーするコピー部３０１を設けたことにより、周波数補間フィルタによってパイロットキャリア伝送路特性データを周波数軸補間した際の精度劣化を軽減し得るＯＦＤＭ受信装置３００を実現できる。
【００４４】
因みに、実施の形態１の構成と比較すると、本実施の形態の構成では、時間軸補間を行っていないので、実際上、実施の形態１の構成により得られる伝送路特性推定結果よりも若干精度が低下する。しかし、本実施の形態では、時間軸補間を行っていないので、ＳＰ／ＣＰ伝送路特性Ｈ’（ｉ，ｋｐ）を蓄積する必要がなく、リアルタイムで伝送路特性推定結果を得ることができ、かつ回路規模を小さくできるといった利点がある。
【００４５】
なお、本実施の形態では、コピー部３０１の前段側に０挿入部３０２を設けた場合について説明したが、コピー部３０１の後段側に０挿入部３０２を設けるようにしてもよい。要は、本実施の形態の特徴は、ＯＦＤＭ信号帯域内の最も帯域端に近いパイロットキャリア伝送路特性を、ＯＦＤＭ信号帯域内のパイロットキャリア間隔と等しい間隔となるように、ＯＦＤＭ信号帯域外の予め定められた長さのパイロットキャリアコピー区間にコピーし、コピーしたパイロットキャリア間に０を挿入するコピー手段を、コピー部３０１と０挿入部３０２とにより構成したことである。
【００４６】
また、本実施の形態では、ＳＰ／ＣＰ除算後のデータのＳＰ間隔が１２キャリア置きの場合を例に説明したが、本発明はこれに限らず、その以外のＳＰ間隔の場合においても同様の効果を得ることができる。
【００４７】
また、本実施の形態では、両端帯域外に周波数補間フィルタの半タップ数のコピー区間を設けたが、リップルの影響に応じてコピー区間を調整してもよい。
【００４８】
さらに、本実施の形態では、ＯＦＤＭ受信装置の例について説明したが、ＯＦＤＭ中継装置に適用しても同様の効果を得ることができる。ＯＦＤＭ中継装置は、例えば、判定部６の後段にマッピング部、ＩＦＦＴ部、送信部を順次設けた構成とすればよい。このような構成とすることにより、周波数補間フィルタによってパイロットキャリア伝送路特性データを周波数軸補間した際の精度劣化を軽減し得るＯＦＤＭ中継装置を実現できる。
【００４９】
（実施の形態３）
図３、図８との対応部分に同一符号を付して示す図５に、本実施の形態のＯＦＤＭ受信装置の構成を示す。ここでは、図３、図８と同様の構成要素については、同じ符号を付してその説明を省略する。
【００５０】
ＯＦＤＭ受信装置５００の伝送路特性推定部５１０には、図３の伝送路特性推定部３１０の構成に加えて、帯域端データ蓄積部５０１と上書き部５０２が設けられている。以下、帯域端データ蓄積部５０１、上書き部５０２の処理について詳しく説明する。
【００５１】
帯域端データ蓄積部５０１は、周波数軸補間部３２０より得られた伝送路特性Ｈｄ’（ｉ，ｋ）のうち、シンボル番号％４＝０で、かつ、ＯＦＤＭ信号帯域両端からあらかじめ定めたキャリア分の伝送路特性Ｈｄ’（ｊ，ｋ）を最新の１シンボル分蓄積する（ｊ：シンボル番号％４＝０となるシンボル番号）。
【００５２】
上書き部５０２は、図６に示すように、周波数軸補間部３２０より得られた伝送路特性Ｈｄ’（ｉ，ｋ）のシンボル番号が、シンボル番号％４＝１，２，３である場合、帯域端データ蓄積部５０１で蓄積したシンボル番号４＝０の帯域端の伝送路特性Ｈｄ’（ｊ，ｋ）を、周波数軸補間部３２０より得られた伝送路特性Ｈｄ’（ｉ，ｋ）に上書きする。そして、このようにして得られたデータＨｇ’（ｉ，ｋ）を、伝送路特性として等化部５に送出する。
【００５３】
このように、シンボル番号％４＝１，２，３の場合において、ＯＦＤＭ信号帯域の両端については、シンボル番号％４＝０の伝送路特性を用いることで、ＯＦＤＭ信号帯域の両端の伝送路特性推定の精度の劣化が軽減される。
【００５４】
すなわち、上書き部５０２は、ＯＦＤＭ信号の帯域端にパイロットキャリアが配置されていないＯＦＤＭシンボルを基に周波数軸方向補間されたＯＦＤＭ信号帯域端の予め定められたキャリア分の伝送路特性を、ＯＦＤＭ信号の帯域端にパイロットキャリアが配置されているＯＦＤＭシンボルを基に周波数軸補間されたＯＦＤＭ信号帯域端の予め定められたキャリア分の伝送路特性に置き換える処理を行う。
【００５５】
これにより、パイロットキャリア伝送路特性のうち、ＯＦＤＭ信号帯域内の最も帯域端に近いパイロットキャリア伝送路特性を、ＯＦＤＭ信号帯域内のパイロットキャリア間隔と等しい間隔となるように、ＯＦＤＭ信号帯域外の予め定められた長さのパイロットキャリアコピー区間にコピーし、コピーしたパイロットキャリア間に０を挿入するといった処理を、時間軸補間を行わずに行った場合でも、周波数軸補間後のＯＦＤＭ信号帯域の両端の伝送路特性推定精度の劣化を低減できるようになる。
【００５６】
かくして本実施の形態によれば、実施の形態２の構成に加えて、上書き部５０２を設け、ＯＦＤＭ信号の帯域端にパイロットキャリアが配置されていないＯＦＤＭシンボルを基に周波数軸方向補間されたＯＦＤＭ信号帯域端の予め定められたキャリア分の伝送路特性を、ＯＦＤＭ信号の帯域端にパイロットキャリアが配置されているＯＦＤＭシンボルを基に周波数軸補間されたＯＦＤＭ信号帯域端の予め定められたキャリア分の伝送路特性に置き換えるようにしたことにより、実施の形態２の効果に加えて、ＯＦＤＭ信号帯域両端の伝送路特性推定精度の劣化を低減できるＯＦＤＭ受信装置５００を実現できる。
【００５７】
なお、本実施の形態では、ＳＰ／ＣＰ除算後のデータのＳＰ間隔が１２キャリア置きの場合を例に説明したが、本発明はこれに限らず、その以外のＳＰ間隔の場合においても同様の効果を得ることができる。
【００５８】
また、本実施の形態では、ＯＦＤＭ受信装置の例について説明したが、ＯＦＤＭ中継装置に適用しても同様の効果を得ることができる。ＯＦＤＭ中継装置は、例えば、判定部６の後段にマッピング部、ＩＦＦＴ部、送信部を順次設けた構成とすればよい。このような構成とすることにより、周波数補間フィルタによってパイロットキャリア伝送路特性データを周波数軸補間した際の精度劣化を軽減し得るＯＦＤＭ中継装置を実現できる。
【産業上の利用可能性】
【００５９】
本発明は、パイロット信号により求めた伝送路特性を周波数軸方向に補間することに起因する伝送路特性推定精度の劣化を軽減し得、例えば地上ディジタル放送のＯＦＤＭ受信装置及びＯＦＤＭ中継装置に適用して有用である。またパイロットキャリアにより伝送路特性を推定するその他の通信装置等にも適用できる。
【図面の簡単な説明】
【００６０】
【図１】本発明の実施の形態１に係るＯＦＤＭ受信装置の構成を示すブロック図
【図２】実施の形態１における伝送路特性データのコピー処理の説明に供する図
【図３】実施の形態２のＯＦＤＭ受信装置の構成を示すブロック図
【図４】実施の形態２における伝送路特性データのコピー処理の説明に供する図
【図５】実施の形態３のＯＦＤＭ受信装置の構成を示すブロック図
【図６】実施の形態３における伝送路特性データの上書き処理を説明に供する図
【図７】ＩＳＤＢ−Ｔの信号フォーマットを示す図
【図８】従来のＯＦＤＭ受信装置の構成を示すブロック図
【図９】伝送路特性の時間軸補間処理の説明に供する図
【符号の説明】
【００６１】
１１  ＦＩＲフィルタ部
３０  パイロットキャリア伝送路特性推定部
４０  時間軸補間部
１００、３００、５００  ＯＦＤＭ受信装置
１０１、３０１  コピー部
１１０、３１０、５１０  伝送路特性推定部
１２０、３２０  周波数軸補間部
３０２  ０挿入部
５０１  帯域端データ蓄積部
５０２  上書き部
【図１】
2006101019.tif 000005
【図２】
2006101019.tif 000006
【図３】
2006101019.tif 000007
【図４】
2006101019.tif 000008
【図５】
2006101019.tif 000009
【図６】
2006101019.tif 000010
【図７】
2006101019.tif 000011
【図８】
2006101019.tif 000012
【図９】
2006101019.tif 000013